(57)【要約】本発明による水中ポンプの水密構造は、入口側にフランジが形成されたエルボー管と、吐出口側にフランジが形成された水中ポンプと、前記水中ポンプの吐出口側フランジに固定されるとともに、水中に立設された案内棒に上下移動自在に挟まれ、前記水中ポンプの吐出口とエルボー管との間に位置される中空環状部が形成された案内部材と、前記案内部材の環状部に設置され、その先端部が前記エルボー管の入口側フランジの内面に密着設置されたガスケットと、から構成され、前記水中ポンプが排出される水による反力によって一方側に回転されるとき、前記案内部材の環状部とエルボー管の入口側フランジとの間の隙間を前記ガスケットが塞ぐことで、漏水を防止できるという効果がある。
2005534865.tif 000002
【特許請求の範囲】
【請求項１】
入口側にフランジが形成されたエルボー管と、吐出口側にフランジが形成された水中ポンプと、前記水中ポンプの吐出口側フランジに固定されるとともに、水中に立設された案内棒に上下移動自在に挟まれ、前記水中ポンプの吐出口とエルボー管との間に位置される中空環状部が形成された案内部材と、前記案内部材の環状部に設置され、その先端部が前記エルボー管の入口側フランジの内面に密着設置されたガスケットと、から構成されたことを特徴とする水中ポンプの水密構造。
【請求項２】
前記案内部材の環状部は、前記ガスケットが挿入される挿入溝が段差を有して形成されたことを特徴とする請求項１記載の水中ポンプの水密構造。
【請求項３】
前記案内部材の環状部は、前記挿入溝に挿入されたガスケットの離脱を防止する離脱防止突起が前記環状部の中央部に向かって突出形成されたことを特徴とする請求項１記載の水中ポンプの水密構造。
【請求項４】
前記ガスケットは、前記エルボー管の入口側フランジの内面に接する先端部の厚さを前記挿入溝に挿入される後端部の厚さよりも薄く形成したことを特徴とする請求項１記載の水中ポンプの水密構造。
【請求項５】
前記ガスケットの先端部および前記エルボー管の入口側フランジの内面は、相互接触部位が傾斜して形成されたことを特徴とする請求項１記載の水中ポンプの水密構造。
【請求項６】
前記エルボー管の入口上側には、その両端が突出するように支持棒が挿入固定され、前記案内部材には、前記支持棒の両端に接触される傾斜面を有する突出部が形成されたことを特徴とする請求項１記載の水中ポンプの水密構造。
【発明の詳細な説明】
【技術分野】
【０００１】
本発明は、水中ポンプに関するもので、詳しくは、水中ポンプとエルボー管との間に発生する漏水を防止できる水中ポンプおよびエルボー管の水密構造に関するものである。
【背景技術】
【０００２】
図１は、従来の水中ポンプの設置構造を示した斜視図であって、水槽(図示せず)の底面にエルボー管２を、水槽の上側に支持台１をそれぞれ固定し、前記支持台１に付着されたブラケット９に一対の案内棒３の上端を固定するとともに、前記エルボー管２に案内棒３の下端をそれぞれ固定し、水中ポンプ４の一側に案内部材５を連結する。ここで、水中ポンプ４を水中に設置するために、ホイスト(図示せず)を作動して牽引ロープ６を下げると、水中ポンプ４が自重によって前記案内棒３に案内されながら下降し、水中ポンプ４の吐出口７に形成されたフランジ７ａと前記エルボー管２の入口側に形成されたフランジ２ａとが連結されることで、水中ポンプ４の吐出口７とエルボー管２とが連通される。
【０００３】
したがって、電力線８を通して水中ポンプ４に電力を供給すると、水中ポンプ４が駆動されることにより、水槽内の水は、水中ポンプ４の吐出口７、エルボー管２及びエルボー管２の出口側フランジ２ｂに連結された排出管(図示せず)を通して外部に排出される。
【０００４】
図２は、従来の水中ポンプとエルボー管との連結状態を示した部分断面正面図である。
図２に示すように、エルボー管２の入口上側には、支持棒２５の左右端が突出するように固定され、水中ポンプ４の吐出口側フランジ７ａには、案内部材５が連結される。
【０００５】
前記案内部材５は、前記水中ポンプ４の吐出口７とエルボー管２の入口とを連通するように中央部５２が開放された環状部５１と、前記支持棒２５の内側面に接触するように傾斜面を有する突出部５４と、前記一対の案内棒３の間に挟まれて上下移動する案内部５５と、を有して構成され、前記案内部材５の環状部５１および前記エルボー管２の入口側フランジ２ａは、その外側面がそれぞれ垂直面に形成される。
【０００６】
しかしながら、従来の水中ポンプ自動着脱構造によると、前記水中ポンプ４の作動時、前記水中ポンプ４にはエルボー管２の反対側方向に反力Ａが作用し、水中ポンプ４の下側方向に水中ポンプ４の重量および水槽の水による圧力Ｂが作用することで、前記水中ポンプ４および案内部材５は、これら反力Ａと圧力Ｂとの合力Ｃにより前記支持棒２５を中心に反時計方向に上方に回動するために、前記環状部５１の下側部とエルボー管２の入口側フランジ２ａの下側部との間の隙間により漏水が発生するという問題点があった。
【発明の開示】
【０００７】
本発明は、従来の問題点を解決するためになされたものであり、水中ポンプとエルボー管との間の漏水を防止できる水中ポンプの水密構造を提供することを目的とする。
【０００８】
前記課題を解決するために、本発明による水中ポンプの水密構造は、入口側にフランジが形成されたエルボー管と、吐出口側にフランジが形成された水中ポンプと、前記水中ポンプの吐出口側フランジに固定されるとともに、水中に立設された案内棒に上下移動自在に挟まれ、前記水中ポンプの吐出口とエルボー管との間に位置する中空環状部が形成された案内部材と、前記案内部材の環状部に設置され、その先端部が前記エルボー管の入口側フランジの内面に密着設置されるガスケットと、から構成されたことを特徴とする。
【発明を実施するための最良の形態】
【０００９】
以下、本発明の実施形態を、図面に基づいて説明する。
図３は、本発明による水中ポンプの未作動時における水中ポンプとエルボー管との連結状態を示した部分断面正面図であり、図４は、本発明による水中ポンプの駆動時における水中ポンプとエルボー管との連結状態を示した部分断面正面図であり、図５は、本発明による水中ポンプの駆動時における水中ポンプおよびエルボー管を示した正面図であり、図６は、本発明による案内部材にガスケットが設置された状態を示した左側面図であり、図７は、本発明によるガスケットを示した斜視図である。
【００１０】
本発明による水中ポンプの水密構造は、図３乃至図５に示すように、水槽(図示せず)の底面に固定設置されたエルボー管１００と、水槽内の水をエルボー管１００に供給する水中ポンプ１２０と、それら水中ポンプとエルボー管１００とを連結するように前記水中ポンプ１２０の吐出口側に締結された案内部材１４０と、前記水中ポンプ１２０の駆動時において、前記エルボー管１００と案内部材１４０との間の隙間を塞いで漏水を防止するガスケット１５０と、から構成される。
【００１１】
前記エルボー管１００の入口側にはフランジ１０２が、該フランジ１０２の上側には突出部１０４がそれぞれ形成されており、前記突出部１０４には、その両端が突出するように支持棒１１０が挿入され、エルボー管１００の両側には、前記案内部材１４０が案内される一対の案内棒１０８が立設される。
【００１２】
前記エルボー管１００の入口側フランジ１０２の内面は、前記ガスケット１５０の先端部１５４との接触部位が傾斜面１０２ａに形成される。
また、前記水中ポンプ１２０には、吐出口側にフランジ１２２が形成され、該フランジ１２２には、前記案内部材１４０がボルト１２４により締結される。
【００１３】
一方、前記案内部材１４０は、図５及び図６に示すように、中央部１４１が開放されるとともに、一方側に前記ボルト１２４が締結される締結孔１４２が形成されることで、前記水中ポンプ１２０のフランジ１２２に固定される環状部１４３と、この環状部１４３の上側から前記案内棒１０８側に延長された板体部１４４と、この板体部１４４の左右両側下方に相互離隔突出され、その内側面が前記支持棒１１０に接触する傾斜面１４６ａに形成された一対の突出部１４６と、前記板体部１４４から延長されるとともに、左右両側に溝１４８ａが形成され、前記案内棒１０８と前記溝１４８ａとの間隙を有して前記案内棒１０８に挟まれる案内部１４８と、から構成される。
【００１４】
前記環状部１４３は、図３に示すように、前記ガスケット１５０が挿入される挿入溝１４３ａが段差を有して形成され、前記挿入溝１４３ａに挿入されたガスケット１５０が離脱しないように、前記環状部１４３の中央部１４１に向かってリング状の離脱防止突起１４３ｂが突出される。
【００１５】
前記ガスケット１５０は、図３及び図７に示すように、円筒状に形成されており、前記エルボー管１００の入口側フランジ１０２に接する先端部１５４の厚さは、前記環状部１４３の挿入溝１４３ａに挿入される後端部１５２の厚さよりも薄く形成される。
【００１６】
また、前記ガスケット１５０は、前記エルボー管１００の入口側フランジ１０２の傾斜面１０２ａを滑りながら広い面積で接触するように、エルボー管１００の入口側フランジ１０２に接する先端部１５４が傾斜して形成される。
【００１７】
以下、このように構成された本発明の動作を説明する。
まず、前記案内部材１４０の案内部１４８を前記一対の案内棒１０８の間に挟めて、前記案内部材１４０を前記水中ポンプ１２０のフランジ１２２にボルト１２４により固定した後、前記水中ポンプ１２０を下降すると、前記案内部材１４０は、前記突出部１４６の傾斜面１４６ａが前記支持棒１１０に接触することで、前記環状部１４３がエルボー管１００の入口側フランジ１０２に向かって前進され、前記環状部１４３の一側面が前記入口側フランジ１０２に密着される。
【００１８】
このとき、前記環状部１４３の挿入溝１４３ａに後端部１５２が挿入された前記ガスケット１５０は、先端部１５４の外周部が前記入口側フランジ１０２の傾斜面１０２ａに密着することで環状部１４３と入口側フランジ１０２との間を密閉する。
【００１９】
この場合、前記水中ポンプ１２０は、前記案内部材１４０の突出部１４６が前記支持棒１１０に接触されながら係止された状態で、水による水圧および水中ポンプ１２０の自重による圧力Ｂを受けるので、前記案内部材１４０の環状部１４３の介在状態で前記エルボー管１００に連結される。
【００２０】
一方、このように設置された水中ポンプ１２０を駆動すると、水槽内の水は、水中ポンプ１２０、環状部１４３、ガスケット１５０、エルボー管１００及びエルボー管１００の出口側に連結された排出管(図示せず)を通して外部に排出される。
【００２１】
このとき、前記水中ポンプ１２０は、図４及び図５に示すように、水の排出による反力Ａと水中ポンプ１２０の重量及び水槽内の水による圧力Ｂとの合力Ｃが作用することで、前記支持棒１１０を中心に反時計方向にやや回動するようになり、前記案内部材１４０が前記水中ポンプ１２０と共に回動することで、前記環状部１４３と前記エルボー管１００の入口側フランジ１０２との間が広がるようになる。この場合、前記ガスケット１５０は、前記入口側フランジ１０２の傾斜面１４３ａに接触された先端部１５４が前記入口側フランジ１０２の傾斜面１４３ａを滑ることで、前記入口側フランジ１０２と環状部との間の隙間を塞ぐようになり、前記案内部材１４０の環状部１４３とエルボー管１００の入口側フランジ１０２との間で発生する漏水を防止する。
【００２２】
一方、前記水中ポンプ１４０の駆動を停止すると、前記案内部材１４０の環状部１４３は、水中ポンプ１２０の重量及び水槽内の水による圧力Ｂを受けることで、水中ポンプ１２０の下方回動により再び前記エルボー管１００の入口側フランジ１０２に密着され、前記環状部１４３と入口側フランジ１０２との間の隙間を塞ぐ前記ガスケット１５０は、最初の位置に復元される。
【産業上の利用可能性】
【００２３】
本発明による水中ポンプの水密構造は、水中ポンプとエルボー管との間に位置される案内部材の環状部に設置され、エルボー管の入口側フランジの内面に密着されるガスケットが装着されることで、水中ポンプの駆動時、前記案内部材の環状部とエルボー管の入口側フランジとの間で発生する漏水を防止できる。
【００２４】
また、前記環状部は、前記ガスケットが挿入される挿入溝が段差を有して形成されることで、前記ガスケットを容易に装着できる。
また、前記環状部は、前記挿入溝に挿入されたガスケットの離脱を防止する離脱防止突起が前記環状部の空間部中央に向かって突出されることで、前記ガスケットの離脱を防止できる。
【００２５】
また、前記ガスケットおよび前記エルボー管の入口側フランジは、相互接触部位が傾斜して形成され、水中ポンプの装着時、前記ガスケットが入口側フランジと広い接触面で密着され、水中ポンプの駆動停止時、前記ガスケットが元の位置に容易に復元される。
【図面の簡単な説明】
【００２６】
【図１】従来の水中ポンプの設置構造を示した斜視図である。
【図２】従来の水中ポンプとエルボー管との連結状態を示した部分断面正面図である。
【図３】本発明による水中ポンプとエルボー管との連結状態を示した部分断面正面図である。
【図４】本発明による水中ポンプの駆動時における水中ポンプとエルボー管との連結状態を示した部分断面正面図である。
【図５】本発明による水中ポンプの駆動時における水中ポンプとエルボー管との連結状態を示した正面図である。
【図６】本発明による案内部材にガスケットが装着された状態を示した左側面図である。
【図７】本発明によるガスケットを示した斜視図である。
【図１】
2005534865.tif 000003
【図２】
2005534865.tif 000004
【図３】
2005534865.tif 000005
【図４】
2005534865.tif 000006
【図５】
2005534865.tif 000007
【図６】
2005534865.tif 000008
【図７】
2005534865.tif 000009
【国際調査報告】
2005534865.tif 000010